(57)【特許請求の範囲】
【請求項１】
洗濯ばさみを吊り下げ具を介して吊り下げる枠体に、吊り下げ具を斜め状に挿通可能に一側部を大きな開口部として他側部を小さな開口部として連通しただるま状や瓢箪状の係止開口部を設け、上記洗濯ばさみを吊り下げる所定長さの細棒状とした吊り下げ具をその上端部を係止頭部としてその下部に細径とした首部を設けるとともに、上記小さな開口部に係止頭部の大きさの所定量凹ませた段落部を設け、
上記吊り下げ具の上部の係止頭部を上記係止開口部の大きな開口部に斜め状に挿入して、吊り下げ具の係止頭部を支点、首部を作用点、下部を力点として吊り下げ具をてこ作用でその係止頭部を首部を介して小さな開口部に移動自在として係止開口部の小さな開口部の段落部に嵌脱自在として吊り下げるように形成したことを特徴とする物干し用ハンガー。
【請求項２】
上記係止開口部の小さな開口部の側部に係止突部を突設し、吊り下げ具の係止頭部に上記係止突部に引っ掛けて掛止する脱落防止用の掛止材を設けた請求項１に記載の物干し用ハンガー。
【請求項３】
上記係止開口部の小さな開口部の側部に係止突部を突設し、吊り下げ具の係止頭部に上記係止突部に嵌脱する脱落防止用の嵌脱掛止部を設けた請求項１または２に記載の物干し用ハンガー。
【請求項４】
上記係止開口部の小さな開口部の側部に掛止開口部を開口し、吊り下げ具の係止頭部に上記掛止開口部に挿入して掛止する脱落防止用の開口掛止材を設けた請求項１に記載の物干し用ハンガー。
【請求項５】
吊り下げ具の係止頭部側を脱落防止用に弾性的に近接可能に分割形成した分岐掛止部と、この係止頭部部分を近接して係止開口部の大きな開口部に挿入して小さな開口部に移動して分割形成した分岐掛止部を拡げて係止開口部に掛止するようにした請求項１に記載の物干し用ハンガー。
【発明の詳細な説明】
【技術分野】
【０００１】
本発明は、洗濯物の物干し用ハンガーに関し、特に洗濯ばさみが破損しても簡単に交換できて使用継続できる物干し用ハンガーに関するものである。
【背景技術】
【０００２】
洗濯物の物干し用ハンガーには、多種多様な形態のものが販売されているが、基本的には物干し用の棒状や円形状、矩形状の吊り下げ用の枠体に吊り下げ具を吊り下げ、洗濯物を洗濯ばさみに挟んで吊り下げるようにされている。
【０００３】
しかし、洗濯ばさみが破損すると、その部分では洗濯物を挟んで吊り下げられなくなり、多くの洗濯ばさみが破損していくと、物干し用ハンガーを廃棄している。物干し用ハンガーは、一般家庭で使用されているため、大量の物干し用ハンガーを廃棄され、リサイクル処理されるものの、多大な資源の消費となっている。
【発明の開示】
【発明が解決しようとする課題】
【０００４】
そのため、実用新案登録第３００４８９７号公報には、洗濯ばさみが破損した場合に、交換することを提案している。しかし、この洗濯物の物干し用ハンガーは、吊り紐の上端に矩形状の係止部を形成し、吊り下げ枠に上下方向貫通孔に交差する係合凹溝を設け、吊り紐の上端の係止部を挿入して回転させ、吊り下げ枠の係合凹溝に係合させて吊り下げ枠に吊り下げるものである。
【０００５】
しかし、洗濯ばさみの吊り紐の係止部、吊り下げ枠の係合凹溝を樹脂成形すると、樹脂の膨縮量が均一でないために均一な寸法に仕上げることは難しく、これらの係合状態を強めに成形すると、吊り紐を強い力で回転させねばならなくなり、強い力で回転させると吊り紐は捩じれて上端の係止部を係合凹溝に係合させることは簡単でない。一方、これらの係合状態を弛るく成形すると、吊り紐を弱い力で回転できて上端の係止部を係合凹溝に係合させられるが、風などで洗濯物が揺れると、係止部に強い力がかかり、係止部が係合凹溝から外れやすくなり、吊り下げ具自体が物干し用ハンガーの枠体から脱落しやすくなる。
【０００６】
一般的に、物干しは、力の弱い女性や子供が行っていることが多く、そのため洗濯ばさみの吊り下げ具を物干し用ハンガーの枠体に簡単に交換でき、安定して使用継続することのできる物干し用ハンガーを提供することが課題であった。
【課題を解決するための手段】
【０００７】
本発明は、上記のような点に鑑みたもので、上記の課題を解決するために、請求項１のように、洗濯ばさみを吊り下げ具を介して吊り下げる枠体に、吊り下げ具を斜め状に挿通可能に一側部を大きな開口部として他側部を小さな開口部として連通しただるま状や瓢箪状の係止開口部を設け、上記洗濯ばさみを吊り下げる所定長さの細棒状とした吊り下げ具をその上端部を係止頭部としてその下部に細径とした首部を設けるとともに、上記小さな開口部に係止頭部の大きさの所定量凹ませた段落部を設け、上記吊り下げ具の上部の係止頭部を上記係止開口部の大きな開口部に斜め状に挿入して、吊り下げ具の係止頭部を支点、首部を作用点、下部を力点として吊り下げ具をてこ作用でその係止頭部を首部を介して小さな開口部に移動自在として係止開口部の小さな開口部の段落部に嵌脱自在として吊り下げるように形成したことを特徴とする物干し用ハンガーを提供するにある。
【０００８】
また、請求項２のように、上記係止開口部の小さな開口部の側部に係止突部を突設し、吊り下げ具の係止頭部に上記係止突部に引っ掛けて掛止する脱落防止用の掛止材を設けたことを特徴とする物干し用ハンガーを提供するにある。
【０００９】
さらに、請求項３のように、上記係止開口部の小さな開口部の側部に係止突部を突設し、吊り下げ具の係止頭部に上記係止突部に嵌脱する脱落防止用の嵌脱掛止部を設けたことを特徴とする物干し用ハンガーを提供するにある。
【００１０】
さらに、請求項４のように、上記係止開口部の小さな開口部の側部に掛止開口部を開口し、吊り下げ具の係止頭部に上記掛止開口部に挿入して掛止する脱落防止用の開口掛止材を設けたことを特徴とする物干し用ハンガーを提供するにある。
【００１１】
さらにまた、請求項５のように、吊り下げ具の係止頭部側を弾性的に近接可能に分割形成した分岐掛止部とし、この係止頭部部分を近接して係止開口部の大きな開口部側に挿入して小さな開口部に移動して分割形成した係止頭部部分を拡げて係止開口部に掛止するようにしたことを特徴とする物干し用ハンガーを提供するにある。
【発明の効果】
【００１２】
本発明の物干し用ハンガーは、請求項１のように、洗濯ばさみを吊り下げ具を介して吊り下げる枠体に、吊り下げ具を斜め状に挿通可能に一側部を大きな開口部として他側部を小さな開口部として連通しただるま状や瓢箪状の係止開口部を設け、上記洗濯ばさみを吊り下げる所定長さの細棒状とした吊り下げ具をその上端部を係止頭部としてその下部に細径とした首部を設けるとともに、上記小さな開口部に係止頭部の大きさの所定量凹ませた段落部を設け、上記吊り下げ具の上部の係止頭部を上記係止開口部の大きな開口部に斜め状に挿入して、吊り下げ具の係止頭部を支点、首部を作用点、下部を力点として吊り下げ具をてこ作用でその係止頭部を首部を介して小さな開口部に移動自在として係止開口部の小さな開口部の段落部に嵌脱自在として吊り下げるように形成したことによって、洗濯ばさみを吊り下げる吊り下げ具の上部を物干し用ハンガーの枠体の係止開口部に斜め状に挿入して、吊り下げ具の係止頭部を支点、首部を作用点、下部を力点として吊り下げ具をてこ作用でその係止頭部を小さな開口部に首部を介して移動できて、小さな力で係止開口部に簡単に吊り下げられ、吊り下げ具の係止頭部を小さな開口部の段落部に嵌合して吊り下げることができる。
【００１３】
そして、吊り下げ具を物干し用ハンガーの枠体の係止開口部から取りはずすときにも、同様にしててこ作用で上記と逆様にして、小さな力で簡単に枠体の係止開口部から取りはずすことができる。そのため、洗濯ばさみが破損しても、吊り下げ具を物干し用ハンガーの枠体に簡単に交換できて、物干し用ハンガーを使用継続することができ、資源の節約に貢献することができる。
【００１４】
また、請求項２のように、係止開口部の小さな開口部の側部に係止突部を突設し、吊り下げ具の係止頭部に上記係止突部に引っ掛けて掛止する脱落防止用の掛止材を設けたことによって、吊り下げ具の係止頭部の掛止材を係止突部に引っ掛けて、吊り下げ具を枠体の係止開口部から脱落しないようにできる。
【００１５】
さらに、請求項３のように、上記係止開口部の小さな開口部の側部に掛止係止突部を突設し、吊り下げ具の係止頭部に上記係止突部に嵌脱する脱落防止用の嵌脱掛止部を設けたことによって、吊り下げ具の係止頭部の嵌脱掛止部を係止突部に嵌入できて、吊り下げ具を枠体の係止開口部から脱落しないようにできる。
【００１６】
さらに、請求項４のように、上記係止開口部の小さな開口部の側部に掛止開口部を開口し、吊り下げ具の係止頭部に掛止開口部に挿入して掛止する脱落防止用の開口掛止材を設けたことによって、吊り下げ具の係止頭部の開口掛止材を掛止開口部に挿入して掛止できて、吊り下げ具を枠体の掛止開口部から脱落しないようにできる。
【００１７】
さらにまた、請求項５のように、吊り下げ具の係止頭部側を脱落防止用に弾性的に近接可能に分割形成した分岐掛止部と、この係止頭部部分を近接して係止開口部の大きな開口部に挿入して小さな開口部に移動して分割形成した分岐掛止部を拡げて係止開口部に掛止するようにしたことによって、吊り下げ具の係止頭部の弾性的な分割掛止部を近接して係止開口部に挿入し、弾性的な分割掛止部を拡げられて吊り下げ具を枠体の係止開口部に引っ掛けて、脱落しないようにできる。
【図面の簡単な説明】
【００１８】
【図１】本発明の一実施例の物干し用ハンガーの斜視図、
【図２】同上の係止開口部の拡大斜視図、
【図３】同上の係止開口部の吊り下げ具の吊り下げ説明の拡大斜視図、
【図４】同上の吊り下げ具の吊り下げ説明の拡大斜視図、
【図５】同上の他の実施例の係止開口部の拡大斜視図、
【図６】同上の吊り下げ具の拡大斜視図、
【図７】同上の係止開口部の吊り下げ具の係止状態の説明図、
【図８】同上のさらに他の実施例の係止開口部の吊り下げ具の係止状態の説明断面図、
【図９】同上のさらに他の実施例の係止開口部の吊り下げ具の係止状態の説明断面図、
【図１０】同上のさらに他の実施例の係止開口部の吊り下げ具の係止状態の説明断面図、
【図１１】同上のさらに他の実施例の係止開口部の吊り下げ具の係止状態の説明断面図、
【図１２】同上のさらに他の実施例の係止開口部の吊り下げ具の係止状態の説明断面図。
【発明を実施するための形態】
【００１９】
本発明の物干し用ハンガーは、洗濯ばさみを吊り下げ具を介して吊り下げる枠体に、吊り下げ具を斜め状に挿通可能に一側部を大きな開口部として他側部を小さな開口部として連通しただるま状や瓢箪状の係止開口部を設け、上記洗濯ばさみを吊り下げる所定長さの細棒状とした吊り下げ具をその上端部を係止頭部としてその下部に細径とした首部を設けるとともに、上記小さな開口部に係止頭部の大きさの所定量凹ませた段落部を設け、上記吊り下げ具の上部の係止頭部を上記係止開口部の大きな開口部に斜め状に挿入して、吊り下げ具の係止頭部を支点、首部を作用点、下部を力点として吊り下げ具をてこ作用でその係止頭部を首部を介して小さな開口部に移動自在として係止開口部の小さな開口部の段落部に嵌脱自在として吊り下げるように形成したことを特徴としている。
【００２０】
物干し用ハンガー１は、図１、図２のように吊り下げ用の枠体２に所定の間隔で多数の係止開口部３を設けて、吊り下げ具４の上部を係止開口部３に挿脱可能に係止するようにし、この吊り下げ具４の下部に洗濯ばさみ５を取り付けて、洗濯物６を洗濯ばさみ５に挟んで吊り下げ、枠体２の上部側のハンガー吊下具７で物干し竿８やワイヤー、ロープ等に引っ掛けて洗濯物６を乾燥できるようにしている。
【００２１】
枠体２は、剛性を有するポリエチレンやＡＢＳ、ナイロン、ポリプロピレン等の耐熱性のある合成樹脂材で、所要の厚みとして断面を逆コ字状等の棒状や円形状、矩形状として、これらを大中小等の枠状に並べて一体形成したりしたもので、図１、図２のように係止開口部３を所定の間隔で上記枠体２に設け、上記洗濯ばさみ５を吊り下げ具４を介して交換可能にしている。
【００２２】
係止開口部３は、図１、図２のように一側部を大きな開口部９として他側部を小さな開口部１０として連通しただるま状や瓢箪状の形状として、図３、図４のように吊り下げ具４の係止頭部１１を一側部の大きな開口部９に斜め状に挿通可能として、たとえば吊り下げ具４の首部の作用点部を片手で押さえ、係止頭部１１を支点とし、その下部を力点として矢印のように押して吊り下げ具４をてこ作用で小さな開口部１０側に弾性的に移動して係止するようにしている。このように吊り下げ具４をてこ作用で移動させるので、係止頭部１１を小さな力で簡単に移動できて小さな開口部１０に係止することができる。上記係止開口部３としては、図のように丸味状のものが好ましいが、大小の矩形状や楕円状、菱形状等のものともできる。
【００２３】
係止開口部３の大きな開口部９は、上記したように吊り下げ具４を斜め状に挿通可能な範囲で所要の大きさにでき、また小さな開口部１０には、図２のように上部側を大きな開口部９と同じ大きさまたはやや小さい大きさとしてその下部側を所定量凹ませた所要径の小さな開口部１０とした段落部１２として、上記のようにてこ作用で吊り下げ具４の係止頭部１１を係止するようにしている。小さな開口部１０は、所定量凹ませた段落部１２を設けることが、係止頭部１１を体裁よく装着できて好ましい。
【００２４】
吊り下げ具４は、図３のように可撓性のあるポリエチレンやナイロン、ポリプロピレン等の耐熱性を有する合成樹脂材で、その係止頭部１１を含む上端部を上記した係止開口部３の大きな開口部９に斜め状として自由に挿脱可能な大きさとして所定の長さの細棒状とし、係止頭部１１の下部を大きな開口部９から小さな開口部１０に係止頭部１１の首部を支点としててこ作用によって移動できる首状の細径部１３とし、図４のように係止開口部３の小さな開口部１０に係止頭部１１を脱落防止の掛止部として掛止して枠体２にそれぞれ安定して吊り下げるようにすることができる。吊り下げ具４の係止頭部１１の口径を小さな開口部１０の段落部１２に嵌合するようにし、首状の細径部１３を段落部１２の開口部１０に嵌合するようにして吊り下げ具４を安定して吊り下げるようにしている。
【００２５】
吊り下げ具４の下端部には、小口径の引掛部１４を設けて洗濯ばさみ５を取り付け、洗濯物６を洗濯ばさみ５に挟んで吊り下げるようにしている。そして、洗濯ばさみ５が破損したとき、吊り下げ具４をその下方を上記した逆様にてこ作用によって移動させて枠体２から取り外し、新しい洗濯ばさみ５を取り付けて吊り下げ具４に交換することができる。なお、吊り下げ具４毎交換してもよい。
【００２６】
また、吊り下げ具４の係止頭部１１に、図４のようにボス状やビス状等の栓材１５の掛止部を折り曲げ可能等として設けたり、別途に設けて、係止開口部３の大きな開口部９に挿脱可能に装着するようにし、係止頭部１１を小さな開口部１０に掛止したときに大きな開口部９に栓材１５を挿入して開口部９に栓をし、吊り下げ具４が大きな開口部９に移動して脱落することなく、確実に係止しておけるようにすることもできる。
【００２７】
また、図５のように枠体２の係止開口部３の側部に、脱落防止用に係止突部１６を所定の高さにそれぞれ突設し、図６のように吊り下げ具４の係止頭部１１に掛止材１７を所定の長さに十字状に一体的に配設し、吊り下げ具４を図７のように係止突材１６に係止頭部１１の掛止材１７を掛止して脱落防止をはかれるようにできる。
【００２８】
また、図８や図９のように枠体２の係止開口部３の側部に脱落防止用に係止突部１８を所定の高さに垂直状に突設し、吊り下げ具４の係止頭部１１に嵌脱掛止部１９を折り曲げ可能な鉤状やフック状に配設したり、舌状として、係止突部１８に係止頭部１１の嵌脱掛止部１９を折り曲げてこれらの掛止口２０や掛止口２１を挿入して脱落防止をはかれるようにできる。
【００２９】
また、図１０のように枠体２の係止開口部３の側部に脱落防止用に掛止開口部２２を開口し、吊り下げ具４の係止頭部１１に折り曲げ可能に鉤状やフック状の開口掛止材２３を配設し、係止頭部１１の開口掛止材２３を折り曲げて掛止開口部２２に挿入して脱落防止をはかれるようにできる。
【００３０】
さらに、図１１のように吊り下げ具４の係止頭部１１側を２分割や３分割等に分岐状態とした弾性を有する分岐掛止部２４とし、吊り下げ具４の係止頭部１１側を接合状態に縮小して係止開口部３の大きな開口部９に挿入して小さな開口部１０に移動し、係止頭部１１の分岐掛止部２４を拡張させて小さな開口部１０に弾性的に係止し、脱落することなく、確実に係止しておけるようにもできる。
【００３１】
またさらに、図１２のように枠体２の係止開口部３の下側部に所定の幅のガイド材２５を設け、吊り下げ具４の係止頭部１１の側部にほぼＬ字状等に弾性力を有する脱落防止材２６を突設し、枠体２のガイド材２５の間に吊り下げ具４の係止頭部１１の側部の脱落防止材２６を挿入して、吊り下げ具４の係止頭部１１を係止開口部３の大きな開口部９に挿入し、小さな開口部１０に弾性的に押し入れて保持し、脱落することなく、確実に係止しておけるようにもできる。
【００３２】
このように枠体２の係止開口部３に吊り下げ具４を脱落せずに掛止するいろいろな態様の掛止手段を採用でき、洗濯ばさみ５が破損したとき、吊り下げ具４を枠体２から取り外し、新しい洗濯ばさみ５を取り付けて吊り下げ具４を交換するようにできる。必要により、吊り下げ具４の交換をすることも可能である。
【実施例】
【００３３】
図１〜図４は、本発明の一実施例を示すものである。物干し用ハンガー１は、図１、図２のように吊り下げ用の枠体２に所定の間隔で多数の係止開口部３を設けて、吊り下げ具４の上部を係止開口部３に挿脱可能に係止するようにし、この吊り下げ具４の下部に洗濯ばさみ５を取り付けて、洗濯物６を吊り下げ、枠体２の上部側のハンガー吊下具７で物干し竿８引っ掛けて洗濯物６を乾燥できるようにしている。
【００３４】
枠体２は、ポリエチレンの耐熱性のある合成樹脂材で、断面を逆コ字状の矩形状の枠状に一体形成したもので、図１、図２のようにこの枠体２に係止開口部３を所定の間隔で設け、洗濯ばさみ５の吊り下げ具４を簡単に交換可能にして係止開口部３から脱落しないように吊り下げられるようにしている。
【００３５】
係止開口部３は、図２のように一側部を大きな開口部９として他側部を小さな開口部１０として連通した瓢箪状の形状として、図３のように吊り下げ具４の係止頭部１１を一側部の大きな開口部９に斜め状に挿通し、首部を作用点、その係止頭部１１を支点とし、その下部を力点として矢印のように押して吊り下げ具４をてこ作用で弾性的に大きな開口部９側から小さな開口部１０に移動させるようにして、小さな力で簡単に移動できて係止頭部１１を小さな開口部１０に安定して係止するようにしている。
【００３６】
係止開口部３の小さな開口部１０には、図２のように上部側を大きな開口部９よりやや小さくしてその下部側を所定量凹ませた所要径の小さな開口部１０の段落部１２とし、吊り下げ具４の係止頭部１１をその口径がほぼ同一の段落部１２部に体裁よく嵌合して脱落しないように安定して掛止できるようにしている。
【００３７】
吊り下げ具４は、図１、図３、図４のように可撓性のあるポリエチレンの耐熱性を有する合成樹脂材で、その係止頭部１１を含む上端部を上記した係止開口部３の大きな開口部９に斜め状として自由に挿脱可能な所定の長さの大きな開口部９の口径に比して１〜２ｍｍ位細い細棒状とし、係止頭部１１の下部を大きな開口部９から係止頭部１１の首部を支点として、てこ作用によって小さな開口部１０に移動できる細径部１３の首状として、図１、図３、図４のように係止開口部３の大きな開口部９に斜め状に挿通しててこ作用によって他側部の小さな開口部１０に移動して小さな開口部１０に細径部１３を嵌入して係止頭部１１を掛止して枠体２に安定して吊り下げられるようにしている。
【００３８】
なお、吊り下げ具４の係止頭部１１に、ボス状の栓材１５を係止開口部３の大きな開口部９に挿脱可能に係止するようにし、係止頭部１１を小さな開口部１０に掛止したときに大きな開口部９に栓材１５を挿入して開口部９に栓をし、吊り下げ具４を脱落することなく、確実に係止しておけるようにすることが好ましい。
【００３９】
吊り下げ具４の下端部の小口径の引掛部１４に洗濯ばさみ５を取り付けて、洗濯物６を洗濯ばさみ５に挟んで吊り下げられる。そして、洗濯ばさみ５が破損したとき、図３のように小さな開口部１０に係止した吊り下げ具４を上記した逆様にてこ作用でその下部を側方に移動し、係止開口部３の大きな開口部９に斜め状として枠体２から引き抜いて取り外し、新しい洗濯ばさみ５を取り付けて吊り下げ具４を交換することができる。
【００４０】
このように、吊り下げ具４を、てこ作用によって物干し用ハンガー１の枠体２に小さな力で簡単に安定して吊り下げられるとともに、洗濯ばさみ５が破損したとき、吊り下げ具４をてこ作用によって物干し用ハンガー１の枠体２から取りはずせ、吊り下げ具４を小さな力で簡単に交換できて、物干し用ハンガー１を使用継続することができる。そのため、大量の物干しハンガー１を廃棄することなく、継続使用できて、資源の節約に貢献することができる。
【００４１】
図５〜図７は本発明の他の実施例で、図５のように枠体２の係止開口部３の側部に脱落防止用に係止突部１６を所定の高さに突設し、図６のように吊り下げ具４の係止頭部１１の小さな開口部１０の側部に掛止材１７を所定の長さとして十字状に配設し、吊り下げ具４を図７のように係止突部１６に係止頭部１１の掛止材１７を掛止して脱落防止をはかれるようにしたものである。
【００４２】
また、図８、図９はそれぞれ本発明のさらに他の実施例で、図８、図９のように枠体２の係止開口部３の側部に脱落防止用に係止突部１８を所定の高さに垂直状に突設し、吊り下げ具４の係止頭部１１の側部に嵌脱掛止部１９を折り曲げ可能な鉤状や舌状に配設し、係止突部１８に係止頭部１１の嵌脱掛止部２０、２１を折り曲げて掛止口２０、２１を挿入して脱落防止をはかれるようにしたものである。
【００４３】
また、図１０は本発明のさらに他の実施例で、図１０のように枠体２の係止開口部３の側部に脱落防止用に掛止開口部２３を開口し、吊り下げ具４の係止頭部１１に折り曲げ可能に鉤状の開口掛止材２４を配設し、係止頭部１１の開口掛止材２４を折り曲げて掛止開口部２３に挿入して脱落防止をはかれるようにしたものである。
【００４４】
さらに、図１１は本発明のさらに他の実施例で、図１１のように吊り下げ具４の係止頭部１１側を２分割して分岐掛止部２５とし、吊り下げ具４の係止頭部１１側を接合状態に縮小して係止開口部３の大きな開口部９に挿入して小さな開口部１０に移動し、係止頭部１１側を拡張させて小さな開口部１０に弾性的に係止し、脱落することなく、確実に係止しておけるようにしたものである。
【００４５】
またさらに、図１２は本発明のさらに他の実施例で、図１２のように枠体２の係止開口部３の下側部に所定の幅のガイド材２６を設け、吊り下げ具４の係止頭部１１の側部にほぼＬ字状等に弾性力を有する脱落防止材２７を突設し、枠体２のガイド材２６の間に吊り下げ具４の係止頭部１１の側部の脱落防止材２７を挿入して、吊り下げ具４の係止頭部１１を係止開口部３の大きな開口部９に挿入して係止頭部１１を小さな開口部１０に弾性的に押し入れて保持し、脱落することなく、確実に係止しておけるようにしたものである。
【００４６】
以上のように物干し用ハンガー１に吊り下げ具４を脱落せずに掛止するいろいろな態様の掛止手段を採用でき、本発明の趣旨にもとずいてこれらの他にも適宜な実施例を採用することができる。
【産業上の利用可能性】
【００４７】
本発明は、家庭用や病院用、業務用、その他の洗濯物の物干し用ハンガーに利用することができるものである。
【符号の説明】
【００４８】
１…物干し用ハンガー    ２…枠体          ３…係止開口部      ４…吊り下げ具    ５…洗濯ばさみ          ６…洗濯物    ９、１０…開口部      １１…係止頭部
１６、１８…係止突部    １７…掛止材      １９…嵌脱掛止部    ２０…嵌脱掛止部  ２０…嵌脱掛止部        ２３…掛止開口部  ２４…開口掛止材    ２５…分岐係止部
【先行技術文献】
【特許文献】
【００４９】
【特許文献１】実用新案登録第３００４８９７号公報
【図１】
0005700801.tif 000002
【図２】
0005700801.tif 000003
【図３】
0005700801.tif 000004
【図４】
0005700801.tif 000005
【図５】
0005700801.tif 000006
【図６】
0005700801.tif 000007
【図７】
0005700801.tif 000008
【図８】
0005700801.tif 000009
【図９】
0005700801.tif 000010
【図１０】
0005700801.tif 000011
【図１１】
0005700801.tif 000012
【図１２】
0005700801.tif 000013